(57)【要約】円筒形の容器、またはその他の種類の品物を取り出すためのディスペンサを有するカートンを形成するためのカートンおよびブランク。該ディスペンサは、カートンに折り曲げ可能に取り付けられたアクセスパネルから使用される、取り外し可能なディスペンサを有する。
2009530192.tif 000002
【特許請求の範囲】
【請求項１】
複数の品物を収容するためのカートンであって、
前記カートンの内部周辺に少なくとも部分的に延在する複数のパネルであって、トップパネル、ボトムパネル、第１のサイドパネル、および第２のサイドパネルを備える複数のパネルと、
前記複数のパネルのうちのそれぞれのパネルにそれぞれ折り曲げ可能に取り付けられる少なくとも２つの端部フラップであって、互いに重なり合うことによって、前記カートンの端部を部分的に閉じる、端部フラップと、
前記カートンから品物を取り出せるようにするためのディスペンサであって、前記カートンの切取線によって少なくとも部分的に画定され、ディスペンサ開口を少なくともさらに開くために、少なくとも部分的に取り外されるためのディスペンサパネルと、を備え、
閉口端部では、前記切取線は、上部切取線と下部切取線と、を備え、前記上部切取線と下部切取線は離間して、前記閉口端部にわたってそれぞれ延在し、
前記サイドパネルのうちの少なくとも１つにあるアクセスパネルは、前記ディスペンサパネルの取り外しを開始するように、内側に折り曲げられる、カートン。
【請求項２】
前記少なくとも２つの端部フラップは、前記第１のサイドパネルに折り曲げ可能に取り付けられる第１のサイド端部フラップと、前記第２のサイドパネルに折り曲げ可能に取り付けられる第２のサイド端部フラップと、を備える、請求項１に記載のカートン。
【請求項３】
前記ディスペンサパネルは、前記第１のサイドパネルの一部、前記第２のサイドパネルの一部、前記第１のサイド端部フラップの一部と、前記第２のサイド端部フラップの一部と、を含む、請求項２に記載のカートン。
【請求項４】
前記上部切取線は曲線であり、かつ前記閉口端部において下方に突出するリップを形成する、請求項１に記載のカートン。
【請求項５】
前記リップは、前記閉口端部の中央に配置されている、請求項４に記載のカートン。
【請求項６】
前記下部切取線は、概して直線である、請求項４に記載のカートン。
【請求項７】
前記下部切取線は、少なくとも約２インチの最低距離だけ上部切取線から離間している、請求項６に記載のカートン。
【請求項８】
前記ディスペンサは、前記ディスペンサ開口を拡大するためのヒンジと回動フラップとを備える、請求項１に記載のカートン。
【請求項９】
前記ヒンジは、前記第１のサイドパネルと前記第２のサイドパネルのそれぞれに曲線の切取線を備える、請求項８に記載のカートン。
【請求項１０】
前記回動フラップは、少なくとも前記閉口端部の一部と、前記第１のサイドパネルの一部と、前記第２のサイドパネルの一部と、を備える、請求項９に記載のカートン。
【請求項１１】
前記アクセスパネルは、前記第１および第２のサイドパネルのうちの１つに折り曲げ可能に接続される作動パネルを備える、請求項１に記載のカートン。
【請求項１２】
前記アクセスパネルは、前記作動パネルに折り曲げ可能に接続される２つのアクセスパネルを備える、請求項１１に記載のカートン。
【請求項１３】
前記アクセスパネルは、概して花弁状の形状である、請求項２に記載のカートン。
【請求項１４】
前記端部フラップは、トップ端部フラップとボトム端部フラップとを備え、前記トップ端部フラップは、前記トップ端部フラップに折り曲げ可能に取り付けられたトップコーナーパネルを有し、前記ボトム端部フラップは、前記ボトム端部フラップに折り曲げ可能に取り付けられたボトムコーナーパネルを有する、請求項１に記載のカートン。
【請求項１５】
前記トップコーナーパネルは、前記カートンの閉口端部でトップ斜角コーナーを形成し、前記ボトムコーナーパネルは、前記カートンの閉口端部でボトム斜角コーナーを形成する、請求項１４に記載のカートン。
【請求項１６】
前記カートンを掴み運ぶために、前記トップパネルにハンドルをさらに備える、請求項１に記載のカートン。
【請求項１７】
複数の品物との組み合わせにおいて、前記複数の品物は前記カートンに少なくとも２列に配列される容器から成る、請求項１に記載のカートン。
【請求項１８】
カートンを形成するためのブランクであって、
複数のパネルであって、トップパネルと、ボトムパネルと、第１のサイドパネルと、第２のサイドパネルと、を備える複数のパネルと、
前記複数のパネルのうちのそれぞれのパネルにそれぞれ折り曲げ可能に取り付けられた少なくとも２つの端部フラップと、
少なくとも１つのディスペンサパネルを備え、そのディスペンサパネルは、前記ブランクから前記ディスペンサパネルを少なくとも部分的に分離するために、切取線によって少なくとも部分的に画定されるディスペンサ機能部と、
前記少なくとも２つの端部フラップに２つの離間する切取線を備える前記切取線であって、前記少なくとも２つの端部フラップにわたってそれぞれ延在する２つの切取線と、
前記ディスペンサパネルの取り外しを開始するために、前記サイドパネルのうちの少なくとも１つのサイドパネルにおいて内側に折り曲げられるようにされているアクセスパネルと、を備える、ブランク。
【請求項１９】
前記少なくとも２つの端部フラップは、前記第１のサイドパネルに折り曲げ可能に取り付けられる第１のサイド端部フラップと、前記第２のサイドパネルに折り曲げ可能に取り付けられる第２のサイド端部フラップと、を備える、請求項１８に記載のブランク。
【請求項２０】
前記ディスペンサパネルは、前記第１のサイドパネルの一部と、前記第２のサイドパネルの一部と、前記第１のサイド端部フラップの一部と、前記第２のサイド端部フラップの一部と、を含む、請求項１９に記載のブランク。
【請求項２１】
前記２つの離間する切取線のうちの一方は曲線であり、前記離間する切取線のうちの他方は概して直線である、請求項１８に記載のブランク。
【請求項２２】
前記切取線は、少なくとも約２インチの最低距離だけ離間している、請求項２１に記載のブランク。
【請求項２３】
前記ディスペンサ機能部は、ヒンジと回動フラップとをさらに備え、前記ヒンジは、前記第１のサイドパネルおよび前記第２のサイドパネルのそれぞれに曲線の切取線を備える、請求項１８に記載のブランク。
【請求項２４】
前記回動フラップは、前記サイド端部の少なくとも一部と、前記第１のサイドパネルの一部と、前記第２のサイドパネルの一部と、を備える、請求項２３に記載のブランク。
【請求項２５】
前記アクセスパネルは、前記第１および第２のサイドパネルのうちの１つに折り曲げ可能に接続される少なくとも１つの作動パネルを備える、請求項１８に記載のブランク。
【請求項２６】
前記アクセスパネルは、前記作動パネルに折り曲げ可能に接続される２つのアクセスパネルを備える、請求項２５に記載のブランク。
【請求項２７】
前記アクセスパネルは概して花弁状の形状である、請求項２６に記載のブランク。
【請求項２８】
カートンを開くための方法であって、
前記カートンの内部周辺に少なくとも部分的に延在する複数のパネルであって、前記複数のパネルは、トップパネルと、ボトムパネルと、第１のサイドパネルと、第２のサイドパネルと、前記複数のパネルのそれぞれのパネルに折り曲げ可能にそれぞれ取り付けられた端部フラップであって、前記端部フラップは互いに重なり合うことによって、前記カートンの閉口端部を部分的に形成する端部フラップと、を備える複数のパネルと、前記カートンの切取線によって少なくとも部分的に画定されるディスペンサパネルを備えるディスペンサであって、前記切取線は、上部切取線と、離間する下部切取線と、を備え、前記上部および下部切取線のそれぞれは前記閉口端部にわたって延在するディスペンサと、前記サイドパネルのうちの少なくとも１つにアクセスパネルと、を有するカートンを提供するステップと、
前記ディスペンサパネルを使用できるように、前記アクセスパネルを内側に折り曲げるステップと、
前記カートンにディスペンサ開口を形成するように、前記上部および下部切取線に沿って、前記カートンを少なくとも部分的に切り取ることによって、前記ディスペンサパネルを掴み、前記カートンから前記ディスペンサパネルを少なくとも部分的に分離するステップと、を備える方法。
【請求項２９】
前記ディスペンサ開口を介して、前記カートンから容器を取り出すステップをさらに備える、請求項２８に記載の方法。
【請求項３０】
前記カートンの前記ディスペンサ開口のサイズを増加させるように、回動フラップを回転することによって、前記ディスペンサ開口を拡大するステップをさらに備える、請求項２８に記載の方法。
【請求項３１】
前記カートンは、前記第１のサイドパネルおよび前記第２のサイドパネルのそれぞれの曲線の切取線によって形成されるヒンジを備え、前記ディスペンサ部を回転させる前記ステップは前記曲線の切取線に沿って前記回動フラップを分離するステップを備える、請求項３０に記載の方法。
【請求項３２】
前記アクセスパネルを内側に折り曲げるステップは、前記カートンから２つのアクセスフラップを分離するように、作動パネルを内側に折り曲げるステップを備える、請求項２８に記載の方法。
【請求項３３】
前記カートンは、前記第１のサイドパネルに少なくとも１つの切取線と、前記第２のサイドパネルに少なくとも１つの切取線と、を備え、前記ディスペンサ開口は、前記第１のサイドパネルおよび前記第２のサイドパネルの切取線に沿って、前記カートンを切り取ることによって形成される、請求項３２に記載の方法。
【請求項３４】
複数の品物を収容するためのカートンであって、
前記カートンの内部周辺に少なくとも部分的に延在する複数のパネルと、
前記複数のパネルのそれぞれのパネルに、それぞれ折り曲げ可能に取り付けられた端部フラップであって、互いに重なり合うことによって、前記カートンの端部を部分的に閉じる端部フラップと、
前記カートンの切取線によって少なくとも部分的に画定されるディスペンサパネルを備えるディスペンサであって、閉口端部では、前記切取線は上部切取線と下部切取線とを備える、ディスペンサと、
前記ディスペンサパネルの取り外しを開始するために、前記パネルのうちの少なくとも１つにおいて内側に折り曲げられるようにされているアクセスパネルと、を備える、カートン。
【請求項３５】
カートンを形成するためのブランクであって、
複数のパネルと、
前記複数のパネルのそれぞれのパネルに、それぞれ折り曲げ可能に取り付けられる少なくとも２つの端部フラップと、
少なくとも１つのディスペンサパネルを備え、そのディスペンサパネルは、前記ブランクから前記ディスペンサパネルを少なくとも部分的に分離するために、切取線によって少なくとも部分的に画定され、
前記切取線は、前記少なくとも２つの端部フラップに２つの離間する切取線を備える、ディスペンサ機能部と、
前記ディスペンサパネルの取り外しを開始するように内側に折り畳むために、前記パネルのうちの少なくとも１つにアクセスパネルと、を備える、カートン。
【請求項３６】
カートンを開くための方法であって、
前記カートンの内側周辺に少なくとも部分的に延在する複数のパネルと、前記複数のパネルのそれぞれのパネルにそれぞれ折り曲げ可能に取り付けられる端部フラップであって、
互いに重なり合うことによって前記カートンの閉口端部を少なくとも部分的に形成する端部フラップと、前記カートンの切取線によって少なくとも部分的に画定されるディスペンサパネルであって、閉口端部では前記切取線は上部の切取線と下部の切取線を備えるディスペンサパネルを備えるディスペンサと、前記パネルのうちの少なくとも１つにアクセスパネルと、を有するカートンを提供するステップと、
前記ディスペンサパネルを使用できるように、前記アクセスパネルを内側に折り曲げるステップと、
前記カートンにディスペンサ開口を形成するように、前記ディスペンサパネルを掴み、前記上部および下部切取線に沿って、前記カートンを少なくとも部分的に切り取ることによって、前記カートンから前記ディスペンサパネルを少なくとも部分的に分離するステップと、を備える方法。
【発明の詳細な説明】
【技術分野】
【０００１】
本発明は、概して、円筒形の容器またはその他の種類の品物を保持し、取り出すためのカートンに関する。
【０００２】
［関連出願の記述］
本出願は、２００６年３月１３日付申請の米国仮特許出願第６０／７８１，８７１の優先権を主張する。上記参照の仮出願の全体は、全体として本願に提示されるように、引用により組み込まれる。
【背景技術】
【０００３】
１回に１つの容器を取り出すためのディスペンサを有する、容器の運搬が可能な完全に囲まれたカートンは、過去に、使用されてきた。ディスペンサパネルを掴み、カートンから取り外すために、ディスペンサ上に開口またはタブを含む、カートンの多様な場所に取り外し可能なディスペンサパネルを備えたディスペンサが提供されてきた。容易に掴み、カートンから取り外すことができるディスペンサパネル付きのカートンを提供することが望ましい。
【発明の開示】
【０００４】
概して、本発明の一態様は、複数の容器を保持するためのカートンに関する。カートンは、複数の品物を収容するためのカートンを備える。カートンは、カートンの内部周辺に少なくとも部分的に延在する複数のパネルを備える。複数のパネルは、トップパネルと、ボトムパネルと、第１のサイドパネルと、第２のサイドパネルと、を備える。少なくとも２つの端部フラップは、複数のパネルのそれぞれのパネルにそれぞれ折り曲げ可能に取り付けられる。端部フラップは、互いに重なり合うことによって、カートンの端部を少なくとも部分的に閉じる。ディスペンサによって、カートンから品物を取り出すことができる。ディスペンサは、カートンの切取線によって少なくとも部分的に画定され、ディスペンサ開口を少なくともさらに開くために、少なくとも部分的に取り外すために、ディスペンサパネルを備える。閉口端部では、切取線は、上部の切取線と下部の切取線を備え、上部と下部の切取線は離間して、それぞれ閉口端部に延在している。サイドパネルのうちの少なくとも１つのアクセスパネルは、ディスペンサパネルの取り外しを開始するように内側に折り曲げるためのものである。
【０００５】
別の態様では、本発明は、概して、カートンを形成するためのブランクに関する。ブランクは複数のパネルを備える。複数のパネルは、トップパネルと、ボトムパネルと、第１のサイドパネルと、第２のサイドパネルと、を備える。少なくとも２つの端部フラップは、複数のパネルのそれぞれのパネルにそれぞれ折り曲げ可能に取り付けられる。ディスペンサ機能部は、少なくとも１つのディスペンサパネルを備え、そのディスペンサパネルは、ブランクから前記ディスペンサパネルを少なくとも部分的に分離するために、切取線によって少なくとも部分的に画定される。該切取線は、少なくとも２つの端部フラップに２つの離間する切取線を含む。２つの切取線は、それぞれ、少なくとも２つの端部フラップに延在する。サイドパネルのうちの少なくとも１つのアクセスパネルは、ディスペンサパネルの取り外しを開始するように内側に折り曲げるためのものである。
【０００６】
別の態様では、本発明は、概して、カートンを開く方法に関する。該方法は、カートンの内部周辺に少なくとも部分的に延在する複数のパネルを有するカートンを提供するステップを備える。複数のパネルは、トップパネルと、ボトムパネルと、第１のサイドパネルと、第２のサイドパネルと、複数のパネルのそれぞれのパネルにそれぞれ折り曲げ可能に取り付けられる端部フラップと、を備える。端部フラップは、互いに重なり合うことによって、カートンの閉口端部を少なくとも部分的に形成する。ディスペンサは、カートンの切取線によって少なくとも部分的に画定されるディスペンサパネルを備える。切取線は、上部の切取線と、離間する下部の切取線と、を備え、上部と下部の切取線のそれぞれは、閉口端部に延在する。アクセスパネルは、サイドパネルのうちの少なくとも１つに存在する。該方法は、ディスペンサパネルを使用できるように、アクセスパネルを内側に折り曲げるステップと、カートンにディスペンサ開口を形成するように、上部と下部の切取線に沿ってカートンを少なくとも部分的に切り取ることによって、カートンからディスペンサパネルを少なくとも部分的に分離するステップと、をさらに備える。
【０００７】
別の態様では、本発明は、概して、複数の品物を収容するためのカートンに関する。カートンは、カートンの内部周辺に少なくとも部分的に延在する複数のパネルを備える。端部フラップは、複数のパネルのそれぞれのパネルにそれぞれ折り曲げ可能に取り付けられる。端部フラップは、互いに重なり合うことによって、カートンの端部を少なくとも部分的に閉じる。ディスペンサは、カートンの切取線によって少なくとも部分的に画定されるディスペンサパネルを備える。閉口端部では、切取線は、上部の切取線と、下部の切取線と、を含む。アクセスパネルは、ディスペンサパネルの取り外しを開始するように、内側に折り曲げるために、パネルのうちの少なくとも１つにある。
【０００８】
別の態様では、本発明は、概して、カートンを形成するためのブランクに関する。ブランクは、複数のパネルと、複数のパネルのそれぞれのパネルに、それぞれ折り曲げ可能に取り付けられる少なくとも２つの端部フラップと、を備える。ブランクのディスペンサ機能部は、少なくとも１つのディスペンサパネルを備え、そのディスペンサパネルは、ブランクから前記ディスペンサパネルを少なくとも部分的に分離するために、切取線によって少なくとも部分的に画定される。切取線は、少なくとも２つの端部フラップに２つの離間する切取線を含む。パネルのうちの少なくとも１つのアクセスパネルは、ディスペンサパネルの取り外しを開始するように、内側に曲げるためのものである。
【０００９】
別の態様では、本発明は、概して、カートンを開く方法に関する。該方法は、カートンの内部周辺に少なくとも延在する複数のパネルと、複数のパネルのそれぞれのパネルにそれぞれ折り曲げ可能に取り付けられた端部フラップであって、互いに重なり合うことによって、カートンの閉口端部を少なくとも部分的に形成する端部フラップと、カートンの切取線によって少なくとも部分的に画定されるディスペンサパネルを備えるディスペンサと、を有するカートンを提供するステップを備える。閉口端部では、切取線は上部の切取線と下部の切取線とを備え、カートンは、パネルのうちの少なくとも１つにアクセスパネルをさらに備える。該方法は、ディスペンサパネルを使用できるように、アクセスパネルを内側に折り曲げるステップと、カートンにディスペンサ開口を形成するように、ディスペンサパネルを掴み、上部と下部の切取線に沿ってカートンを少なくとも部分的に切り取ることによって、カートンからディスペンサパネルを少なくとも部分的に分離するステップと、をさらに備える。
【００１０】
当業者は、以下に列挙された図面を参照しながら、以下の実施形態の詳細な説明を読むことによって、上記の利点およびその他の利点、および多様な追加の実施形態の利点を理解するであろう。
【００１１】
通例に従い、以下で説明する図面の多様な機能は、一定の縮尺比で描かれているとは限らない。図面の多様な機能や要素の寸法は、本発明の実施形態をより明確に示すために、拡大または縮小されている場合がある。
【００１２】
図面のいくつかの図において、対応する参照文字は対応する部分を示す。
【発明を実施するための最良の形態】
【００１３】
図示された実施形態の詳細な説明
本発明は、概して、カートンのためのディスペンサに関する。本発明は、例えば、食品や飲物などの品物または他の製品を収容するカートンにおいて使用することが可能である。品物は、例えば、缶、ボトル、ＰＥＴ容器、またはパッケージ食品に使用されるような他の容器など、飲物の容器も含むことができる。説明の目的であって、本発明の範囲を制限する目的のためではなく、以下の詳細な説明は、概して、カートンの実施形態内に配置される円筒形の飲物容器を説明する。本明細書において、「下部」「ボトム」「上部」および「トップ」という用語は、完全に組み立てられたカートンに対して決定される方向を示す。
【００１４】
図１は、本発明の第１の実施形態に従い、概して３（図２〜７）で示されたカートンを形成するために使用される、概して１で示されたブランクの第１の外側２の平面図である。ブランク１は、縦軸Ｌ１と横軸Ｌ２を有する。図２に示されているように、カートン３は、概して、長方形の形状で、３×４の配置に１２の円筒形容器Ｃ（図７）を保持するために構成される。図示された実施形態では、カートン３は、概して５で示された斜角コーナーを有するが、本発明の範囲から逸脱することなく、カートン３は、その他の形状にすることができ、その他の構成（例えば２×６、３×６、２×６×２、３×４×２など）で同じまたは異なる数の容器Ｃを保持することができることが理解される。以下に詳細を説明するように、カートン３は、カートン１の容器Ｃを取ることができるように、概して７で示されたディスペンサを有する。
【００１５】
ブランク１は、第１の横方向の折り目１５で第１のサイドパネル１３に折り曲げ可能に接続される第１のトップフラップまたはパネル１１と、第２の横方向の折り目２１で第１のサイドパネル１３に接続されるボトムパネル１９と、第３の横方向の折り目２７でボトムパネル１９に折り曲げ可能に接続される第２のサイドパネル２５と、第４の横方向の折り目３３で第２のサイドパネル２５に折り曲げ可能に接続される第２のトップフラップまたはパネル３１と、を備える。
【００１６】
第１のトップパネル１１は、それぞれの縦方向の折り目３９、４１で第１のトップ端部パネル３５および第２の端部フラップ３７に折り曲げ可能に接続される。第１のサイドパネル１３は、それぞれの縦方向の折り目４９、５１で第１のサイド端部フラップ４５と第２のサイド端部フラップ４７に折り曲げ可能に接続される。ボトムパネル１９は、それぞれの縦方向の折り目５９、６１で第１のボトム端部フラップ５５と第２のボトム端部フラップ５７に折り曲げ可能に接続される。第２のサイドパネル２５は、それぞれの縦方向の折り目６９、７１で第１のサイド端部フラップ６５と第２のサイド端部フラップ６７に折り曲げ可能に接続される。第２のトップパネル３１は、それぞれの縦方向の折り目７９、８１で第１のトップ端部フラップ７５と第２のトップ端部フラップ７７に折り曲げ可能に接続される。図示された実施形態では、ブランク１の第１のトップパネル１１は、概して８５で示される第１のハンドル口を有し、第２のトップパネル３１は、概して８７で示される第２のハンドル口を有する。
【００１７】
図示された実施形態では、第１のサイドパネル１３の第１と第２のサイド端部フラップ４５、４７は、各々、それぞれの縦方向の折り目９３、９５でサイド端部フラップに接続されるそれぞれの接着フラップ８９、９１を有する。一実施形態では、第１と第２のトップ端部パネル３５、３７の各々は、各々のトップ端部フラップのトップコーナーパネル１０３、１０５を形成するように、縦方向の折り目３９、４１から横方向に離間して、概して平行な、それぞれの中間縦方向の折り目９７、９９を含む。同様に、第２のトップパネル３１の第１と第２のトップ端部フラップ７５、７７は、各々、それぞれのトップコーナーパネル１１１、１１３を形成するように、縦方向の折り目７９、８１から横方向に離間して、概して平行なそれぞれの中間縦方向の折り目１０７、１０９を有する。第１と第２のボトム端部フラップ５５、７５は、各々、各ボトム端部フラップのボトムコーナーパネル１２１、１２３を形成するように、縦方向の折り目５９、６１から横方向に離間して、概して平行な中間縦方向の折り目１１７、１１９を有する。以下に詳細を説明するように、トップコーナーパネル１０３、１０５、１１１、１１３は、組み立てられたカートン３のトップ斜角コーナー５を形成し、ボトムコーナーパネル１２１、１２３は、組み立てられたカートンのボトム斜角コーナーを形成する。コーナーパネル１０３、１０５、１１１、１１３、１２１，１２３は、本発明の範囲から逸脱することなく、ブランク１から省略される可能性があることが理解されよう。さらに、ブランク１は、本発明の範囲から逸脱することなく、縦方向の折り目３９、４９、５９、６９および７９は、単独の連続した縦方向の折り目で置換し、縦方向の折り目４１、５１、６１、７１、８１は、単独の連続した縦方向の折り目で置換するように、構成される可能性がある。
【００１８】
ディスペンサ７は、カートンブランク１に取り外し可能に取り付けられるディスペンサパネル１２７を含む。ディスペンサパネル１２７がカートン３から取り外されると、ディスペンサ７のディスペンサ開口１２９（図７）は、容器Ｃをカートンから選択的に取り出せるように、露出する。図１に示されているように、ディスペンサパネル１２７は、接着フラップ８９の外側端から縦方向の折り目４９まで、サイドフラップ４５で横方向に延在する第１の切取線１３１と、第１の切取線から離間し、接着フラップの外側端から縦方向の折り目４９まで、概して横方向に延在する第２の曲線の切取線１３３によってブランク１に画定される。図示された実施形態では、第２の切取線１３３は曲線なので、第１と第２の切取線は、接着フラップ８９の外側端よりも、縦方向の折り目４９で縦方向の距離が大きく離間する。第３の切取線１３５は、第１の切取線１３１と縦方向の折り目４９との交差点から第１のサイドパネル１３へ、概して横方向に延在し、第１のサイドパネルに配置された第４の切取線１３７と交差する。第５の切取線１４１は、第２の切取線１３３と縦方向の折り目４９の交差点から第１のサイドパネル１３へ斜めに延在し、第４の切取線１３７と交差する。第４の切取線１３７は、概して、アーチ状で、第１のサイドパネル１３のディスペンサ１２７パネルの端部を画定するように、第１のサイドパネルの第３と第５の切取線１３５、１４１に接続する。
【００１９】
ディスペンサ７は、サイドフラップ６５でフラップの外側端から縦方向の折り目６９まで横方向に延在する第６の切取線１４５と、第６の切取線から離間して、フラップ６５の外側端から縦方向の折り目６９まで概して横方向に延在する第７の曲線の切取線１４７を含む。図示した実施形態では、第７の切取線１４７は曲線なので、第６と第７の曲線１４５、１４７は、フラップ６５の外側端よりも、縦方向の折り目６９で縦方向の距離が大きく離間する。第８の切取線１４９は、第６の切取線１４５と縦方向の折り目６９との交差点から第２のサイドパネル２５へ、概して横方向に延在して、第２のサイドパネルに配置された第９の切取線１５１と交差する。第１０の切取線１５３は、第７の切取線１４７と縦方向の折り目６９との交差点から第２のサイドパネル２５へ、概して斜めに延在し、第９の切取線１５１と交差する。第９の切取線１５１は、概して、アーチ状で、第２のサイドパネル２５のディスペンサ１２７パネルの端部を画定するように、第２のサイドパネル２５の第８と第１０の切取線１４９、１５３を接続する。図示した実施形態では、第１、第２、第３、第４、および第５の切取線１３１、１３３、１３５、１３７、１４１は、端部フラップ４５、および、サイドフラップ６５とサイドパネル２５の第６、第７、第８、第９および第１０の切取線１４５、１４７、１４９、１５１、１５３によって画定されるディスペンサパネルの第２の部分１５９の鏡像（組み立てられていないブランク１を示す図１に示されているように）であるサイドパネル１３のディスペンサパネル１２７の第１の部分１５７を画定する。
【００２０】
ブランク１は、第１のサイドパネル１３に、概して１６５で示された第１のアクセスパネルと、第２のサイドパネルに、概して１６７で示された第２のアクセスパネルと、を含む。第１と第２のアクセスパネル１６５、１７６によって、ディスペンサパネル１２７は、いずれか（または両方の）側面端から掴むことや、カートン１から取り出すことができるようになる。あるいは、本発明の範囲から逸脱することなく、ブランク１は、第１と第２のアクセスパネル１６５、１６７のうちの１つだけを有する場合がある。
【００２１】
第１のアクセスパネル１６５は、第３と第５の切取線１３５，１３７に対する交差点を超えて延在するアーチ状の第４の切取線１３７の端部の間を延在する縦方向の折り目１７５によって、サイドパネル１３に折り曲げ可能に接続される作動パネル１７３を備える。アクセスパネル１６５は、第１と第２の曲線の折り目１８５、１８７によって作動パネル１７３に折り曲げ可能に接続される２つのアクセスフラップ１８１、１８３を含む。曲線の折り目１８５、１８７の各々の第１の端部は、縦方向の折り目１７５のそれぞれの端部から延在し、曲線の折り目のそれぞれの第２の端部は、アーチ状の第４の切取線１３７の中間点で概して収束する。図１に示されているように、２つのアクセスフラップ１８１、１８３は、概して花弁形状で、第４のアーチ状の切取線１３７の一部とそれぞれの曲線の折り目１８５、１８７によって画定される。
【００２２】
第２のサイドパネル２５の第２のアクセスパネル１６７は、概して、第１のアクセスパネル１６５のように構築される。第２のアクセスパネル１６５は、アーチ状の第９の切取線１５１の端部の間を延在する縦方向の折り目１９３によって、サイドパネル２５に折り曲げ可能に接続される作動パネル１９１と、第１と第２の曲線の折り目２０１、２０３によって作動パネル１９１に折り曲げ可能に接続される２つの花弁状のアクセスフラップ１９５、１９７と、を含む。
【００２３】
カートン３は、まず、第１のトップパネル１１を第２のトップパネル３１に重ね合わせて、２つのトップパネルをのり付けまたは他の方法で接着することによって、ボトムパネル１９、第１のサイドパネル１３、接着した第１と第２のトップパネル１１、３１、および第２のサイドパネル２５が、概して筒状のスリーブを形成するように開くまたは設定できるように、ブランク１から組み立てることができる。概して筒状のスリーブは、例えば、概して２０７と示された（図２）第１の端部パネルを形成するように、カートン３の１つの端部で端部フラップ３５、４５、５５、６５、７５を折り曲げて、接着することによって、および、概して２０９と示された第２の端部パネルを形成するように、カートンのもう一方の端部で端部フラップ３７、４７、５７、６７、７７を折り曲げて、接着することによって、閉じることができる。図示された実施形態では、コーナーパネル１０３、１０５、１１１、１１３を接着した第１と第２のトップパネル１１、３１に対して斜角に配置するように、それぞれの横方向折り目３９、４１、７９、８１の周囲でそれぞれのトップ端部フラップ３５、７５、３７、７７を内側に折り曲げることと、それぞれの中間折り目１０３、１０５、１０７、１０９の周囲でトップ端部フラップを下側に折り曲げることによって、端部パネル２０７、２０９を閉じると、カートン３のトップ斜角コーナー５が形成される。ボトム斜角コーナー５は、各ボトムコーナーパネルをボトムパネル１９に対して斜角に配置するように、それぞれの横方向折り目５９、６１の周囲でそれぞれのボトム端部フラップ５５，５７を上側に折り曲げることと、それぞれの中間折り目１１７、１１９の周囲でボトム端部フラップを上側に折り曲げることによって、形成される。サイドフラップ４５、６５は、その後、カートン３の第１の閉口端部２０７を形成するように重ね合わせることができ、サイドフラップ４７、６７は、カートンの第２の閉口端部２０９を形成するように重ね合わせることができる。容器Ｃまたはその他の品物は、例えば、カートン３の１つまたは両方の端部２０７、２０９が端部フラップ３５、４５、５５、６５、７５およびまたは端部フラップ３７、４７、５７、６７、７７によって閉じられる前に、いつでもスリーブに入れることができる。
【００２４】
図２は、図１で図示されたブランク１から組み立てられたカートン３の斜視図であり、容器Ｃが装填されていて、第１と第２の端部２０７、２０９が閉じられている。図３〜７に示されているように、また、許容される方法に従い、以下に説明するように、ディスペンサ開口１２９を露出するようにディスペンサパネル１２７を取り外すことによって、容器Ｃをカートン３から選択的に取り出すことができるように、ディスペンサ７を開くことができる。図３〜６に示されているように、ディスペンサパネル１２７の第１の部分１５７の片側端は、カートン３の第１のアクセスパネル１６５を押すことによって、ユーザが掴むために露出することができる。図３および４に示されているように、圧力を作動パネル１７３に加えて、作動パネルを内側に押して、アクセスフラップ１８１、１８３を、それぞれの曲線の折り目１８５、１８７周りに外方に回動させる。アクセスフラップ１８１、１８３が回動すると、アクセスフラップはアーチ状の第４の切取線１３７に沿ってディスペンサパネル１２７から分離する（例えば、切り取られる）。図５に示されているように、ディスペンサパネル１２７からアクセスフラップ１８１、１８３を分離後、アクセスフラップの端部とディスペンサパネルの端部の間に少なくとも１本の指を挿入することによって、ディスペンサパネルの第１の部分１５７の端部がユーザによって掴まれる。カートンからディスペンサパネルの取り外しを開始すべく、パネルの第１の部分１５７を掴み、ディスペンサパネルの端部を、第３と第５の切取線１３５、１４１（図６）に沿ってパネルを切り取る方向に引っ張ることによって、ディスペンサパネル１２７は、取り外される。図７と図８に示されているように、ディスペンサパネル１２７は、第１、第２、第６、第７、第８、第９、および第１０の切取線１３１、１３３、１４５、１４７、１４９、１５１、１５３に沿ってさらに切り取ることによって、カートン３から完全に取り除くことができる。図７に示されているように、アクセスパネル１６５は、典型的に、ディスペンサパネル１２７の取り外し後、折り目１７５に沿って、サイドパネル１３に取り付けられたままになる。第２のアクセスパネル１６５は、カートン３の反対側（非表示）で第９の切取線１５１に沿って切り取ることによって、ディスペンサパネル１２７の第２の部分１５９の取り外し後、サイドパネル２５に取り付けられたままになる。
【００２５】
カートン３は、第１または第２のアクセスパネル１６５、１６７のいずれかから、ディスペンサパネルを使用することができるようにすることによって、ディスペンサパネル１２７の右手または左手どちらかで取り外すように構成されていることが理解される。さらに、本発明の範囲から逸脱することなく、カートン３は、１つのアクセスパネルだけを有することができる。また、本発明の範囲から逸脱することなく、カートン３は、カートンの第２の端部２０９に第２のディスペンサ（非表示）を有することができる。
【００２６】
ディスペンサ７の第１、第３、第６および第８の切取線１３１、１３５、１４５、１４９は、カートン３の閉口端部２０７に、概して２１５で示される（図２）下側（第１）の切取線を形成し、第２、第５、第７および第１０の線１３３、１４１、１４７、１５３は、カートンの閉口端部に概して２１７で示される上側（第２）の切取線を形成する。第１の実施形態に従い、ディスペンサパネル１２７が取り外される際に、容器Ｃがディスペンサ開口１２９の外側へ転がり出ることを防ぐようにして、ディスペンサ７のトップとボトムの切取線２１５、２１７は、ボトムパネル１９の上方で離間している。例えば、そして、第１の実施形態に従い、ボトムの切取線２１５は、ボトムパネル１３から測定すると、容器Ｃの直径の約４０％から８０％の間の高さＨ２に存在して、カートン３からボトム容器が転がり出ることを防ぐ。第１の実施形態に従い、閉口端部２０７のトップ切取線２１７は、ボトム列の容器Ｃの直径に中間列の容器の直径未満の距離を足したに等しい、高さＨ１に配置されて、カートン３から中間列の容器が転がり出ることを防ぐ。一実施形態では、トップ切取線２１７は、ボトム列の容器Ｃの直径に中間列の容器の直径の約６０％から約９０％の間の距離を足したものに等しい、高さに配置される。
【００２７】
第１の実施形態に従い、ディスペンサパネル１２７が取り外される際に、カートン３に全ての容器Ｃを保持するのに十分な高さに存在し、切取線は、両方の軸の端部で取り外される容器を掴むことによって、容器を簡単に取り外すことができる十分な距離でボトム切取線２１５とトップ切取線２１７とが離間している。トップ切取線２１７の湾曲によって、カートン３に容器Ｃの保持を促進し、取り外す容器を掴みやすくする。トップ切取線２１７は、カートン３の保持力を増加させるリップ２２１を形成する閉口端部２０７の中央線近くに下側部分を有する。図示された実施形態では、リップ２２１は、概して、リップがディスペンサ開口１２９の中間で下方向に延在するように、カートン３の閉口端部２０７の中央に配置される。トップ切取線２１７は、容器を掴むために、容器Ｃの端部の露出を増加できるように、リップ２２１からそれぞれのサイドパネル１３、２５に向かって上方に湾曲する。トップ切取線２１７の高さＨ１は、リップ２２１を形成する切取線の低点から測定される。ボトム切取線２１５も、本発明の範囲から逸脱することなく、湾曲させるようにしてもよいことが理解される。
【００２８】
図７に示されているように、カートン３のディスペンサ開口１２９の端部が、ディスペンサ７の切取線１３１、１３３、１３５、１３７、１４１、１４５、１４７、１４９、１５１、１５３の形状に対応する。ディスペンサ開口１２９は、図示された実施形態の３×４の配置においてリップ２２１が容器Ｃの中間列または第２の列を保持するような形状である。ディスペンサ開口１２９は、ディスペンサ開口から露出した第２の列の容器を掴んで取り外すことができるように、サイドパネル１３、２５の第２の列の露出した容器Ｃを取ることができるような形状でもある。ディスペンサ７および／またはカートン３は、本発明の範囲から逸脱することなく、容器の他の列または行を保つ形状など、その他の形状や配列とすることができる。
【００２９】
図２に示されているように、上部と下部の切取線は、最小距離Ｄ１の約２．３インチ（５８ｍｍ）および最大距離Ｄ２の約２．６インチ（６６ｍｍ）離間する。図示された実施形態では、最小距離Ｄ１は、カートン５の端部２０７のリップ２２１のほぼ低点に位置し、最大距離Ｄ２は、端部フラップ４５、６５をサイドパネル１３、２５にそれぞれ接続する折り目４９，６９近くのリップのいずれかの側に位置する。高さＨ１は、少なくとも約４．６インチ（１１７ｍｍ）にすることができる。一実施形態では、高さＨ２は少なくとも約２．３インチ（６６ｍｍ）にすることができ、容器Ｃは少なくとも約２〜１／２インチ（６３ｍｍ）の直径を有することができる。上部と下部の切取線は、本発明から逸脱することなく、代替の形状および配置にすることができる。最小距離Ｄ１および最大距離Ｄ２など、しかしこれらに限定されず、提供されている寸法情報は、典型的例のみであって、列挙されている寸法より大きく、または小さくすることができ、本発明の範囲を限定することを意図するものではないことが理解される。
【００３０】
図８は、本発明の第２の実施形態の、概して３０３と示されているカートンを形成するための、概して３０１と示されているブランクを示す。第２の実施形態のカートン３０３は、第１の実施形態のカートン３にほぼ類似するが、カートン３０３は、容器Ｃを、より容易に取り出すことができるように、ディスペンサ開口１２９を拡大できるようにする、概して３０５（図１０）で示されているヒンジを含む点が異なる。従って、同様な参照番号は、第１と第２の実施形態の類似または同一な機能を示すために使用されている。ヒンジは、ディスペンサ７の第３の切取線１３５から横方向の折り目２１まで延在する、ブランク３０１の第１の曲線の切取線３１１と、ディスペンサの第８の切取線１４９から横方向の折り目２７まで延在する第２の曲線の切取線３１３と、を含む。ディスペンサ７の第１および第２の曲線の切取線３１１、３１３、および、第１、第３、第６および第８の切取線１３１、１３５、１３５、１４１、１４９は、カートン３０３の回動フラップ３１５を画定する。図示された実施形態では、回動フラップ３１５は、サイド端部フラップ４５，６４の少なくとも一部と、第１のサイドパネル１３と、第２のサイドパネル２５と、を備える。回動フラップ３１５は、本発明から逸脱することなく、その他の形状および配置とすることができる。
【００３１】
ディスペンサパネル１２７は、第１の実施形態の上記と同様な方式でカートン３０３から取り外すことができる。ディスペンサ開口１２９を露出するようにディスペンサパネル１２７を取り外した後、回動フラップ３１５を掴み、カートン３０３の内側から外側へ引っぱることができるので、フラップはヒンジ３０５のそれぞれの第１および第２の曲線３１１、３１３周りに回転する。ヒンジ３０５は、回動フラップ３１５の運動が、カートンの容器Ｃをより容易に取り出すことができるように、ディスペンサ開口１２９を拡大することができる。特に、回動フラップ３１５は、ディスペンサ開口１２９が拡大するように下方に回転することが可能であるため、ボトム容器Ｃを容易に掴んで容器３０３から取り出すことができるようになる。
【００３２】
本発明は、品物を容易に取り出すことを可能にする追加の開口機能などの多様な機能、および、カートンの前後の端部に品物を配置する傾斜機能を含むカートンで使用することが可能である。
【００３３】
本発明の実施形態のいずれかに従うブランクは、例えば、コーティングされた板紙や同様な素材から形成することが可能である。例えば、ブランクの内側および／または外側は、クレーコーティングを塗布することが可能である。その後、クレーコーティングに、製品、広告、価格コード、およびその他の情報または画像を印刷することができる。その後、ブランクは、ブランク上に印刷された情報を保護するように、ニスを塗布することができる。また、ブランクは、例えば、湿気保護層などで、ブランクの片面または両面をコーティングすることができる。上述の実施形態に従い、ブランクは、普通紙よりも重く、剛性が強くなるような厚みの板紙で製造することができる。また、ブランクは、ダンボール紙、硬化紙、または、カートンが上記のように少なくとも一般的に機能できるために適した特性を有する、その他任意の素材など、他の素材から製造することが可能である。さらに、ブランクは、選択したパネルまたはパネルセクションに１枚以上のシート状の素材でラミネートまたはコーティングすることも可能である。
【００３４】
「線」という用語は、本明細書では、単なる直線だけではなく、湾曲、曲線または角度を付けて配置された線など、その他の種類の線も含む。
【００３５】
上記の実施形態は、のりによって接着された１つ以上のパネルを有するとして説明される。「のり」という用語は、カートンパネルを定位置に固定するために一般的に使用されるすべての方式の接着に及ぶことを意図する。
【００３６】
典型的な実施形態によると、折り目は、必ずしも直線ではないが、それに沿って折り畳むことを促進する実質的に直線のいかなる弱化の形式でもありうる。本発明の範囲を狭めることを目的としないが、より具体的には、折り目は、望ましい弱化線に沿って、素材に破砕あるいは押下部分を形成する、鈍いスコアリングナイフなどで形成された線などのスコアライン、望ましい弱化線に沿って、素材に部分的に延在する切り目、および／または望ましい弱化線に沿って、素材に部分的におよび／または完全に通過して延在する一連の切り目、およびこれらの機能の多様な組み合わせ、を含む。折り目を形成するために切り目が使用されている場合においては、典型的に、切り目は、分別のあるユーザが、誤まって折り目を切取線と見なす場合がある程度までには過度ではないようにする。
【００３７】
例として、切取線は、望ましい弱化線に沿って素材に部分的に延在するスリット、および／または望ましい弱化線に沿って素材に部分的および／または完全に通過して延在する一連の離間したスリット、またはこれらの機能部の多様な組み合わせ、を含むことが可能である。より具体的な例として、ある種の切取線は、素材を完全に通過して延在する一連の離間したスリットの形で、典型的に切取線に沿って一時的に素材を接続するために、刻み目（例えば、素材の小さい橋状の部分）が、隣接のスリットの間に画定されるように、わずかに離間したスリットが隣接する。刻み目は、切取線に沿って裂くと破れる。刻み目は、典型的に、切取線の比較的小さい割合を占め、代替的には、切取線が連続した切り目線であるように、切取線から刻み目を省略または切り裂くことが可能である。つまり、各々の切取線が連続したスリットなどに置換されることは、本発明の範囲内である。例えば、切り目線は、本発明から逸脱することなく、連続したスリットにすることが可能、または、スリットよりも幅広い可能性がある。
【００３８】
本発明の前述の説明は、本発明の多様な実施形態を図示して説明された。本発明の範囲から逸脱することなく、上記の構成に多様な変更を加えることが可能であるので、上記の説明に含まれたあるいは添付の図面に示されたすべての事柄は、説明のためであり、限定を意味するものではないと解釈すべきであると意図される。さらに、本発明の範囲は、請求項の範囲内である、上記に説明した実施形態の多様な変形、組み合わせ、代替などに及ぶ。これに加えて、本開示は、本発明の選択された実施形態のみを示して説明するが、本発明は、その他多様な組み合わせ、変更および環境において使用することが可能であり、本明細書に示されたように、発明概念の範囲内の変更または変形、上記の教示に相応して、および／または関連分野の技術または知識内で可能である。さらに、それぞれの実施形態の一定の機能および機能部は、本発明の範囲から逸脱することなく、選択的に交換およびその他の説明されたおよび説明されていない本発明の実施形態に適用することができる。
【図面の簡単な説明】
【００３９】
【図１】本発明の第１の実施形態に従い、カートンを形成するために使用されるブランクの平面図である。
【図２】カートンの正面斜視図である。
【図３】作動状態のアクセスパネルを示す、図２の拡大部分である。
【図４】図３に類似するが、ディスペンサパネルを掴むことができるように十分に作動化したアクセスパネルを示す。
【図５】図４に類似するが、カートンから取り外されているディスペンサパネルを示す。
【図６】図６に類似するが、ディスペンサパネルをさらに取り外した状態を示す。
【図７】ディスペンサパネルが取り外されたカートンの片方からの詳細斜視図で、鏡像であるもう一方からの斜視図である。
【図８】本発明の第２の実施形態に従い、カートンを形成するために使用されるブランクの平面図である。
【図９】第２の実施形態に従い、カートンから取り外されたディスペンスパネルを示す、カートンの一部の詳細図である。
【図１】
2009530192.tif 000003
【図２】
2009530192.tif 000004
【図３】
2009530192.tif 000005
【図４】
2009530192.tif 000006
【図５】
2009530192.tif 000007
【図６】
2009530192.tif 000008
【図７】
2009530192.tif 000009
【図８】
2009530192.tif 000010
【図９】
2009530192.tif 000011
【国際調査報告】
2009530192.tif 000012
2009530192.tif 000013
2009530192.tif 000014
2009530192.tif 000015
2009530192.tif 000016